(57)【要約】      （修正有）【課題】プリント配線基板の搬送方向が従来一方向のみに対し、任意の角度を持つ往復運動（ジグザグ運動）が可能となる配線基板保持搬送治具を提供する。【解決手段】額縁状に加工した揺動式配線基板保持搬送冶具本体１の内側に内設し、その駆動にゼンマイや、モーター駆動ギア減速式カム回転装置２等の原動力を用い、搬送方向に直角に往復運動する揺動式配線基板保持具９が、実装部品のリードに絡み付いた気泡を、気泡逃げ通路１８を通して押し流し、又リード間に絡み付こうとするハンダを取り去る効果のある自動ハンダ付け装置用揺動式配線基板保持搬送冶具２０により、この課題を解決する。【選択図】図１
0003156932.tif 000002
【実用新案登録請求の範囲】
【請求項１】
フロー方式によるプリント配線基板のハンダ付け工程に、耐熱性のプレート状の配線基板保持搬送冶具を使用する際に、その搬送装置が一方向一定速の為に起こる未ハンダやブリッジ現象の解消方法として、配線基板保持搬送冶具を額縁状に加工しその内側に搬送方向に直角に往復運動する揺動式配線基板保持具を内設し、その駆動にモーターの原動力を用い適数のギアで構成されたカム回転装置を配した、自動ハンダ付け装置用揺動式配線基板保持搬送冶具。
【請求項２】
請求項１の原動力がゼンマイ式の、自動ハンダ付け装置用揺動式配線基板保持搬送冶具。
【請求項３】
請求項１のフロー方式が静止槽方式の、自動ハンダ付け装置用揺動式配線基板保持搬送冶具。
【考案の詳細な説明】
【技術分野】
【０００１】  本考案は、フロー方式等によるプリント配線基板のハンダ付け工程における、耐熱でプレート状の自動ハンダ付け装置用揺動式配線基板保持搬送冶具に関する。
【背景技術】
【０００２】  耐熱性のプレート状の保持搬送冶具にプリント配線基板を保持し、フロー方式等によるハンダ付け工程の際、ハンダ噴流によって生じた気泡による未ハンダや、プリント配線基板の構造上の問題による電子部品の端子（リード）間のショート（ブリッジ）等の発生に非常に苦慮を強いられているため、これ等の現象の根絶が必要である。従来の方法として、保持搬送冶具をコンベア等の搬送装置を使用し、一定速度でハンダ噴流帯を通過させていた。
【考案の開示】
【考案が解決しようとする課題】
【０００３】  しかし、前途の従来技術では、プリント配線基板自身の小型化に伴い、搭載される実装部品の小型化やその部品および部品間のリードピッチが近接し、保持搬送冶具への微細加工も複雑化し、益々リードの未ハンダやブリッジ現象が増加している。
【課題を解決するための手段】
【０００４】  そこで、冶具本体の内側をくり抜き貫設した部位に落とし込んだ揺動冶具を、モーター駆動ギア減速式カム回転装置を用い揺動動作させる揺動式配線基板保持搬送冶具の考案により課題を解決する。これにより、プリント配線基板の搬送方向が従来一方向のみに対し、任意の角度を持つ往復運動（ジグザグ運動）が可能となる。（図１参照）
【考案の効果】
【０００５】  よって、本考案により、フロー方式等によるハンダ付け工程の際、従来、保持搬送冶具が一方向のみ移動していた際、ハンダ噴流によって保持搬送冶具と基板ハンダ面との閉じ込められた空間に生じた気泡が、実装部品のリードに絡み付き未ハンダが生じたり、移動方向に並行に置かれた各実装部品の最後尾のリード同士がショートするブリッジ現象が生じていたが、例えば一方向に一定速度で移動する基板保持搬送冶具に於いて、その格納空間に納置された揺動冶具を、搬送方向と直角方向に往復運動し、その速度を同期させた場合ほぼ４５度方向のジグザグ運動となり、有害な気泡を散らし未ハンダを減少させ又、ハンダ付け工程の移動最終リードと１〜２個前のリード間の表面張力等で生じるブリッジ現象を、ハンダ噴流との接触方向がジグザグに変化することで減少させることが可能となる。
【考案を実施するための最良の形態】
【０００６】  本考案に係る自動ハンダ付け装置用揺動式配線基板保持搬送冶具２０は、図１が示すように、揺動式配線基板保持搬送冶具本体１に、揺動冶具９が収容できる空間部位を貫設し摺動両側面の適切な位置に、揺動冶具落下防止ガイドピン１２を圧入埋設し、基板１１が納置できる溝を凹設し、適数配した回転式基板押さえ１０で基板１１を保持固定した、揺動冶具９を落とし込む、その際冶具本体１に対しその表面と揺動冶具９の表面が平行に成る様に揺動ガイド溝１３を凹設する、又落とし込んだ揺動冶具９がハンダ噴流の揚力で浮き上がらないように移動式揺動冶具浮防止ローラー保持部品１４を設置する、その際揺動冶具９の脱着の妨げ防止の為、揺動冶具浮防止ローラー１５が揺動冶具９と未干渉の位置まで後退できるローラー保持部品移動用溝１６を凹設する、又本体１の余剰部分に、円盤型揺動発生用カム４を取り付けたモーター駆動ギア減速式カム回転装置２とモーター駆動用電池室３を設置し、ワイヤー掛けピン５の回転運動を直進運動に変換し且つその運動方向を直角に導くキャプスタン７を介し揺動冶具９に設置されたワイヤーストッパー８を撓みなく繋ぐ両端に輪を配した揺動連結ワイヤー６を配する、又ワイヤー６の引っ張り力に相対する戻り力を発生させるため市販の引きバネ１７を本体１と揺動冶具９の間の適切な位置に設置する。揺動冶具９の裏面には、ハンダ付け用に貫設した穴１９の適切な位置から気泡逃げ通路１８を形設する。
【図面の簡単な説明】
【０００７】
【図１】  本考案の係る自動ハンダ付け装置用揺動式配線基板保持搬送冶具の上面図である。
【図２】  本考案の係る自動ハンダ付け装置用揺動式配線基板保持搬送冶具のＡ−Ａ矢視図である。（符号３及び１７を除く）
【図３】  本考案の係る自動ハンダ付け装置用揺動式配線基板保持搬送冶具のＢ−Ｂ矢視図である。（符号２乃至５を除く）
【符号の説明】
【０００８】      １    揺動式配線基板保持搬送冶具本体
２    モーター駆動ギア減速式カム回転装置（図中Ｍはモーター）
３    モーター駆動用電池室（図中ＢＴは電池）（スイッチ及び配線未表示）
４    円盤型揺動発生用カム
５    ワイヤー掛けピン
６    両端に輪を配した揺動連結ワイヤー
７    キャプスタン
８    ワイヤーストッパー
９    揺動冶具
１０    回転式基板押さえ
１１    基板
１２    揺動冶具落下防止ガイドピン
１３    揺動ガイド溝
１４    移動式揺動冶具浮防止ローラー保持部品
１５    揺動冶具浮防止ローラー
１６    ローラー保持部品移動用溝
１７    市販の引きバネ
１８    気泡逃げ通路
１９    貫設した穴
２０    自動ハンダ付け装置用揺動式配線基板保持搬送冶具
【図１】
0003156932.tif 000003
【図２】
0003156932.tif 000004
【図３】
0003156932.tif 000005
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
フロー方式によるプリント配線基板のハンダ付け工程に耐熱性のプレート状の配線基板保持搬送冶具を使用する際に、その搬送装置が一方向一定速の為に起こる未ハンダやブリッジ現象の解消方法として、配線基板保持搬送冶具を額縁状に加工し、その内側に搬送方向に直角に往復運動する揺動式配線基板保持具を内設し、その駆動にモーター或はゼンマイ式の原動力を用い、適数のギアで構成されたカム回転装置を配した基板保持冶具であり、フロー方式が静止槽タイプにも適応する自動ハンダ付け装置用揺動式配線基板保持搬送冶具。